(57)【特許請求の範囲】
【請求項１】
ケーブルバンドによって周りを取り囲んで緊締されたケーブル束を保持するための複数の固定部材より成る装置であって、結束装置において使用されており、前記固定部材が、支持部分に固着させるための固定脚部（３）と、ケーブルバンド（７）の形状接続的な貫通案内を行うための保持舌片（６）を有する固定ヘッド部（５）とから構成されており、前記固定脚部（３）と前記固定ヘッド部（５）との間には支持部分に載置するための環状の鍔（８）が一体成形されている形式のものにおいて、
複数の固定部材（１）が列状に連続して配置されていて、前記鍔（８）に沿って延在する一体射出成形ストリップ（９）によって互いに係合されていることを特徴とする、ケーブルバンドによって周りを取り囲んで緊締されたケーブル束を保持するための複数の固定部材より成る装置。
【請求項２】
各固定部材（１）の固定脚部（３）が、裂断可能なウェブ（２）を介して、引き続く固定ヘッド部（５）の保持舌片（６）に結合されている、請求項１記載の複数の固定部材より成る装置。
【請求項３】
各一体射出成形ストリップ（９）の一方の側にラック成形体（１２）が設けられている、請求項１または２記載の複数の固定部材より成る装置。
【請求項４】
前記一体射出成形ストリップ（９）の両端部が段状に形成されていて、結果として段状部（１４）の一方の端部が、引き続く始端部の対応段状部（１５）によって補完されて完全なストリップ横断面を形成し、互いに結合可能であるように構成されている、請求項１から３までのいずれか１項記載の固定部材の複数の固定部材より成る装置。
【請求項５】
請求項１から４までのいずれか１項記載の、ケーブル束を保持する際に固定部材を自動的に供給するように固定部材を配列するための方法において、
固定部材を、成形型内において鍔（８）の両側から互いに平行な２つの一体射出成形ストリップ（９）を介して射出成形し、固定部材（１）を、成形型半割部の開放後、裂断可能なウェブ（１１）によって結合したままであり、一体射出成形ストリップ（９）を、次いで固定部材の供給時に搬送ストリップとして使用可能にすることを特徴とする、固定部材を配列するための方法。
【請求項６】
成形型から製造された後、一体射出成形ストリップ（９）の端部段状部（１４）を成型型内に残して、引き続く固定部材（１）の構造群の射出成形時に、引き続く一体射出成形ストリップ（９）の始端段状部（１５）と一緒に、紛失不能に射出成形する、請求項５記載の方法。
【請求項７】
各射出成形された段状部（１４）が切欠もしくは長穴（１６）を有しており、これらの切欠もしくは長穴（１６）を、引き続く段状部（１５）の射出形成材料によって充填する、請求項６記載の方法。
【発明の詳細な説明】
【０００１】
本発明は、ケーブルバンドによって周りを取り囲んで緊締されたケーブル束を保持するための複数の固定部材より成る装置と、これらの固定部材を配列するための方法とに関するものである。この場合ケーブルバンドは有利にはケーブル束および管およびこれに類する長手方向に延びる対象物を緊締するために働く。ここではケーブルバンドの係止結合部はバンド始端部に一体的に結合されているかまたは別個の部分として形成されていてよい。この係止結合部はＥＰＳ０５６５９６８に基づいた結束装置のように、ローラから供給されたエンドレスなケーブルバンドの端部に結合されている。
【０００２】
ケーブル束の取り囲み後、並びに係止結合部にケーブルバンドを導入しかつ固定した後、ケーブル束を保持するためにプラスチックから成る別個の固定部材を使用すべきである。このような固定部材は例えばドイツ連邦共和国特許第９４０１４４８号明細書に基づき公知である。この固定部材はケーブルバンドを形状接続的に貫通案内するために保持舌片を有していて、固定部材はケーブルバンドを貫通させて固定プレートに固定した後、相応して成形された支持部分に係合される。欠点として、保持舌片へのケーブルバンドの導入および保持舌片へのケーブルバンドの位置決めはピンを用いて手作業で行われ、これにより時間がかかりコスト高になるだけでなく、手先の器用さも必要とされることが挙げられる。
【０００３】
係止結合部を自動的に供給するとともにエンドレスなケーブルバンドを施すために結束装置が使用されていると、ケーブル束を取り囲む前または取り囲んだ後に、ケーブルバンドを固定部材の保持舌片を通してガイドするのが困難になる。また固定部材を規定された場所に位置決めしかつ固定部材をバンド排出開口前まで供給するために、適した供給通路を有するいわゆる振動コンベア（Ｓｃｈｗｉｎｇｆｏｅｒｄｅｒｅｒ）が必要であり、これにより付加的なコストが必要となる。
【０００４】
本発明の課題は、所定の位置に供給できるようなかつ採算の取れる経済的なコストで処理可能であるような固定部材を構成し、互いに結合させることである。
【０００５】
この課題は本発明により主として請求項１に記載した固定部材の構成および自動的な供給時に搬送ストリップとして働く一体射出成形ストリップと裂断可能な接続部の構成によって解決された。これにより固定部材をグループとして、結束装置のさらに処理するのに好都合な位置に供給することができ、一体射出成形ストリップから分離された後ケーブルバンドを貫通案内するために各自適した位置に移動させることができる。
【０００６】
結束装置において固定部材を自動的に処理するために改良された条件を得られるように、請求項２以下には別の手段が記載されている。これらは一体射出成形ストリップの搬送を十分に補助する手段であるか、または配列された固定部材の複数のグループを、射出成形時に成形型内において所望の長さの連鎖になるように接続する手段である。後者の手段により固定部材を次いで巻き取ることができ、したがって固定部材の比較的大きな蓄えが形成される。
【０００７】
しかしドイツ連邦共和国特許第４１０５４６０号明細書に基づき、ケーブルバンドを配列して、結束装置において使用するためのいわゆるバンドクラスタ（Ｂａｎｄｃｌｕｓｔｅｒ）にするための方法が示されており、この方法では個々のバンドが端部側で射出成形されることによって結合される。しかしこの方法において、長手方向に相前後して配置されたバンドはその端部で成形工具内で溶かされることによって結合され、その結果次いで行われる結束装置への挿入後に、引き続くバンドから再び分離される。
【０００８】
これに対して端部で互いに溶かし合わされたバンドは配列された固定部材の搬送および自動的な供給の際に、単に搬送手段としてのみ働き、ケーブル束を結束する際にすら使用されない。
【０００９】
次に図面に示した２つの実施例に基づき本発明の実施形態を詳説する。
【００１０】
図１または図２にはプラスチックから成る複数の固定部材１が示されている。これらの固定部材１は列状に連続して配置され、裂断可能な結合ウェブによって互いに結合されている。各固定部材１１は固定脚部３とヘッド部５とから成っている。固定脚部３には支持プレートの孔内に固着させるために拡開可能なばね足４が設けられている。前記ヘッド部５にはケーブルバンド７の形状接続的な貫通案内を行うために横断面で見て方形の保持舌片６が設けられている。ヘッド部５と固定脚部３との間には環状の鍔８が位置しており、この鍔８は固定部材１を支持プレート（図示せず）上に弾性的に載置するために働く。
【００１１】
この鍔８の両側には、射出成形するために必要な一体射出成形ストリップ９が延在している。射出成形材料は成形ウェブ１０を通って鍔８にガイドされる。保持舌片６の領域で成形型を比較的迅速に充填することを保証するために、さらに一体射出成形ストリップ９と固定部材１のヘッド部５との間に別の成形ウェブ１１が設けられている。
【００１２】
鍔８の両側に沿って延在する一体射出成形ストリップ９は、成形型半割部を開放した後、成形ウェブ１０を介して鍔８と結合されたままであるという大きな利点を有している。すなわち一体射出成形ストリップ９は次いで固定部材１を供給する際に搬送ストリップとして使用することができるように構成されている。
【００１３】
この目的のために一体射出成形ストリップ９にはそれぞれ一方の側にラック成形部１２が設けられている。このラック成形部１２は、これに相応して形成された、図５〜図８に示した結束装置の歯車１３によって駆動させることができる。さらに一体射出成形ストリップ９は図４から分かるように両側端部で段状に形成されていて、一体射出成形ストリップ９の一方の端部における段状部１４は、引き続く一体射出成形ストリップ９の始端部における、相応する対応段状部１５によって補完され、完全なストリップ横断面を構成する。射出成形によって製造された固定部材群の一体射出成形ストリップ９を、引き続く固定部材群の一体射出成形ストリップ９と重なり合わせて結合させるために、これらの一体射出成形ストリップ９には段状部１４の領域の各端部に長穴１６が設けられている。これらの長穴１６は本発明による固定部材群の製造時において、引き続く続く一体射出成形ストリップ９の射出成型材料を収容するために働く。
【００１４】
成形型を開放した後、射出成形によって製造された固定部材１は一体射出成形ストリップ９と一緒に成形型から引き上げられる。それからこれらの一体射出成形ストリップ９の穿孔された端部が、成形型の、相応して形成された領域に挿入されており、結果として、引き続く固定部材群の射出成形時に、一体射出成形ストリップ９のための射出成形材料が、成形型内に位置する一体射出成形ストリップ９の端部に設けられた長穴１６に浸入し、この射出成形材料は、紛失することなく両端部が接続され続けるように充填される。このような形式によって所望の多数の固定部材群を成形型内で互いに関連付けて射出成形し、結束装置における別の供給のためにローラに巻き付けることも可能である。
【００１５】
図５と図７と図８とに概略的に示した結束装置は、決まっていない長さのケーブルバンド７を連続して供給する、基本構造の点で今日主流の結束装置に相応している。ケーブルバンド７は結束装置のヘッド部１７において、供給された係止結合部１８を貫通し、ケーブル束１９の周りに沿って延び、再び係止結合部１８に導入され、その後緊締され、略示した刃２０を用いて係止結合部１８の後方において切断される。
【００１６】
ケーブルバンド７の自動的な取り囲みのためにヘッド部１７にはほぼ半円状に成形された２つのガイドＵ字部材２１，２２が旋回可能に支承されている。これらのガイドＵ字部材２１，２２はまず図７に示したように開放位置にある。保持したいケーブル束１９を収容した後、両ガイドＵ字部材２１，２２が接触するように旋回され、押し進めたいケーブルバンド７をガイド溝２３の内側に提供する。このガイド溝２３によってケーブルバンド７は確実に係止結合部１８の開口部内にガイドされ、そこで公知の形式で係止される。さらに結束装置の上方には結合ウェブ１０を介して一体射出成形ストリップ９に結合された固定部材用のガイド通路２４が配置されている。さらにこのガイド通路２４の下方端部には歯車１３が回動可能に支承されている。この歯車１３は一体射出成形ストリップ９のラック成形部１２と噛み合い、保持舌片６を有する各固定部材１が前もって下方に引き寄せられるようになっている（図７参照）。
【００１７】
ケーブルバンド７を固定部材ヘッド部５の保持舌片６内に導入するために、固定部材１は摺動装置（図示せず）を用いてヘッド部１７の排出開口前まで押し進められ、固定部材１の保持舌片６が、側方から供給された係止結合部１８の前に供給されなければならない。それからケーブルバンド７は係止結合部１８と保持舌片６とを貫通し、両Ｕ字部材２１，２２のガイド溝２３を介して再び係止結合部１８に戻され、そこで公知の形式で係止される（図９および図１０参照）。
【００１８】
図１１〜図１３には本発明の別の実施例が示されている。この実施例では固定部材２５がねじ山付きピン収容部のために形成されており、一体射出成形ストリップ９についてのみ関連している。この固定部材２５は横断面で見て方形の固定スリーブ２６からなっており、この固定スリーブ２６はねじ山付きピン（図示せず）の溝に係合するための、内壁に一体成形された、中心に対して傾けられた支持フィンガ２７と、ケーブルバンド７を貫通させるための、外壁２８に一体成形された保持舌片６とを有している。
【００１９】
保持舌片に対して９０゜ずらされた外壁２９には、側方に傾けられて突出した支持フラップ３０が一体成形されており、これらの支持フラップ３０は固定部材２５を支持部分上に弾性的に載置するために働く。これらの支持フラップ３０は自由縁部で、裂断可能な成形フラップ３１を介して一体射出成形ストリップ９に接続されている。これらの一体射出成形ストリップ９には図１および図２および図４に記載されたのと同じ形式でラック成形部１２が設けられている。保持舌片６の領域における成形型の比較的迅速な充填を保証するために、さらに図１および図２に記載した実施例と同じように付加的な成形ウェブ３２が、一体射出成形ストリップ９と、固定部材２５のヘッド部５との間に設けられている。
【００２０】
前述した実施例の説明は例示的にのみ説明したものであり、ケーブル束を保持する際にケーブルバンドを貫通させるための保持舌片を有する固定部材の供給に限定されるものではない。本発明は、組立経過が自動制御される際に所定の場所に位置決めするために一体射出成形ストリップを搬送助成部材として使用したあらゆる固定部材のために使用可能である。
【図面の簡単な説明】
【図１】  結合ウェブと一体射出成形ストリップを用いて互いに結合された、丸穴脚部を有する複数の固定部材の平面図である。
【図２】  同じ列の固定部材の側面図である。
【図３】  鍔と保持舌片とを部分断面した個々の固定部材の側面図である。
【図４】  ２つの連続する一体射出成形ストリップの、互いに結合された、段状に形成された端部の図である。
【図５】  バンドガイドＵ字部材と、配列された固定部材の自動供給部とを有する、ケーブルバンド用の結束装置の概略図である。
【図６】  一体射出成形ストリップのラック成形部用の歯車駆動装置の図である。
【図７】  バンドガイドＵ字部材を開放した状態で示した結束装置のヘッド部の拡大図である。
【図８】  閉鎖された状態のバンドガイドＵ字部材と、挿入されたケーブル束と、係合結合部と、供給された固定部材とを有する結束装置のヘッド部の拡大図である。
【図９】  バンドループ内に挿入された固定部材を有する、閉じられた状態のケーブルバンドの側面図である。
【図１０】  図９記載のケーブルバンドの正面図である。
【図１１】  一体射出成形ストリップによってのみ関連付けられた、ねじ山付きピン収容部用の固定部材を有する本発明による別の実施例を示した図である。
【符号の説明】
１  固定部材、  ２  結合ウェブ、  ３  固定脚部、  ４  ばね足、  ５  ヘッド部、  ６  保持舌片、  ７  ケーブルバンド、  ８  鍔、  ９  一体射出成形ストリップ、  １０，１１  成形ウェブ、  １２  ラック成形体、  １３  歯車、  １４  段状部、  １５  対応段状部、  １６  長穴、  １７  ヘッド部、  １８  係止結合部、  １９  ケーブル束、  ２０  刃、  ２１，２２  ガイドＵ字部材、  ２３  ガイド溝、  ２４  通路、  ２５  固定部材、  ２６  固定スリーブ、  ２７  支持フィンガ、  ２８，２９  外壁、  ３０  支持フラップ、  ３１  成形フラップ、  ３２  成形ウェブ
【図１】
0004018341.tif 000002
【図２】
0004018341.tif 000003
【図３】
0004018341.tif 000004
【図４】
0004018341.tif 000005
【図５】
0004018341.tif 000006
【図６】
0004018341.tif 000007
【図７】
0004018341.tif 000008
【図８】
0004018341.tif 000009
【図９】
0004018341.tif 000010
【図１０】
0004018341.tif 000011
【図１１】
0004018341.tif 000012
【図１２】
0004018341.tif 000013
【図１３】
0004018341.tif 000014
【図１４】
0004018341.tif 000015